【手続補正書】
【提出日】平成25年3月14日(2013.3.14)
【手続補正１】
【補正対象書類名】明細書
【補正対象項目名】０００８
【補正方法】変更
【補正の内容】
【０００８】
上記目的を達成するため、本発明の第１の観点にかかる情報表示システムは、
情報表示装置と情報提供装置とが通信可能に構成された情報表示システムにおいて、
前記情報提供装置は、
特定の被写体を照合するための照合画像と、当該特定の被写体のスケールを示すスケール情報と、当該照合画像に対応する重畳情報と、を対応づけて記憶する記憶手段と、
前記情報表示装置からの要求に応じて、前記記憶手段に対応付けて記憶されている前記照合画像、前記スケール情報、および前記重畳情報を前記情報表示装置に提供する情報提供手段と、を備え、
前記情報表示装置は、
撮像手段と、
特定の被写体を照合するための照合画像と、当該特定の被写体のスケールを示すスケール情報と、当該照合画像に対応する重畳情報と、を外部装置から取得する取得手段と、
前記取得手段により取得した照合画像に基づいて、前記撮像手段により撮像された撮像画像内に前記特定の被写体が写されているか否かを照合する照合手段と、
前記取得手段により取得した重畳情報を、前記照合手段により前記特定の被写体が照合された前記撮像画像上に重畳表示する重畳表示手段と、
前記取得手段により取得したスケール情報に基づく画角調整のガイド表示をおこなうガイド表示手段と、を備える、
ことを特徴とする。
上記情報表示システムにおいて、
前記記憶手段は、特定の被写体を照合するための照合画像と、当該特定の被写体のスケールを示すスケール情報と、当該照合画像に対応する重畳情報と、を検索用のキー情報に対応づけて複数記憶し、
前記情報提供手段は、前記情報表示装置から送信された検索用のキー情報に基づいて、前記記憶手段を検索し、検索された前記照合画像、前記スケール情報、および前記重畳情報を前記情報表示装置に提供し、
前記取得手段は、当該情報表示装置の状態に応じたキー情報を前記情報提供装置に送信したことに応答して前記情報提供装置から送信されてくる前記照合画像、前記スケール情報、および前記重畳情報を取得することが望ましい。
【手続補正２】
【補正対象書類名】明細書
【補正対象項目名】０００９
【補正方法】変更
【補正の内容】
【０００９】
上記目的を達成するため、本発明の第２の観点にかかる情報表示装置は、
撮像手段と、
特定の被写体を照合するための照合画像と、当該特定の被写体のスケールを示すスケール情報と、当該照合画像に対応する重畳情報と、を外部装置から取得する取得手段と、
前記取得手段により取得した照合画像に基づいて、前記撮像手段により撮像された撮像画像内に前記特定の被写体が写されているか否かを照合する照合手段と、
前記取得手段により取得した重畳情報を、前記照合手段により前記特定の被写体が照合された前記撮像画像上に重畳表示する重畳表示手段と、
前記取得手段により取得したスケール情報に基づく画角調整のガイド表示をおこなうガイド表示手段と、
を備えることを特徴とする。
上記情報表示装置において、
前記取得手段は、前記照合画像、前記スケール情報、および前記重畳情報との組を前記取得手段により複数取得し、
前記ガイド表示手段は、前記取得手段により取得した複数のスケール情報に基づいて、前記取得手段により取得した複数の照合画像により照合可能な複数の被写体の分布状態をガイド表示することが望ましい。
【手続補正３】
【補正対象書類名】明細書
【補正対象項目名】００１０
【補正方法】変更
【補正の内容】
【００１０】
上記情報表示装置において、
前記ガイド表示手段は、
前記取得手段が取得した前記スケール情報に基づいた、前記照合画像の分布を表示する分布表示手段をさらに備え、
前記分布表示手段が表示した前記分布表示と対応した前記ガイド表示をおこなう、
ことが望ましい。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
上記目的を達成するため、本発明の第３の観点にかかる情報表示方法は、
特定の被写体を照合するための照合画像と、当該特定の被写体のスケールを示すスケール情報と、当該照合画像に対応する重畳情報と、を外部装置から取得する取得工程と、
前記取得工程により取得した照合画像に基づいて、前記撮像工程により撮像された撮像画像内に前記特定の被写体が写されているか否かを照合する照合工程と、
前記取得工程により取得した重畳情報を、前記照合工程により前記特定の被写体が照合された前記撮像画像上に重畳表示する重畳表示工程と、
前記取得工程により取得したスケール情報に基づく画角調整のガイド表示をおこなうガイド表示工程と、
を含むことを特徴とする。
上記目的を達成するため、本発明の第４の観点にかかるプログラムは、
撮像手段を備えるコンピュータに、
特定の被写体を照合するための照合画像と、当該特定の被写体のスケールを示すスケール情報と、当該照合画像に対応する重畳情報と、を外部装置から取得する取得機能、
前記取得機能により取得した照合画像に基づいて、前記撮像機能により撮像された撮像画像内に前記特定の被写体が写されているか否かを照合する照合機能、
前記取得機能により取得した重畳情報を、前記照合機能により前記特定の被写体が照合された前記撮像画像上に重畳表示する重畳表示機能、
前記取得機能により取得したスケール情報に基づく画角調整のガイド表示をおこなうガイド表示機能、
を実現させることと特徴とする。
【手続補正７】
【補正対象書類名】明細書
【補正対象項目名】００１７
【補正方法】削除
【補正の内容】
【手続補正８】
【補正対象書類名】特許請求の範囲
【補正対象項目名】全文
【補正方法】変更
【補正の内容】
【特許請求の範囲】
【請求項１】
情報表示装置と情報提供装置とが通信可能に構成された情報表示システムにおいて、
前記情報提供装置は、
特定の被写体を照合するための照合画像と、当該特定の被写体のスケールを示すスケール情報と、当該照合画像に対応する重畳情報と、を対応づけて記憶する記憶手段と、
前記情報表示装置からの要求に応じて、前記記憶手段に対応付けて記憶されている前記照合画像、前記スケール情報、および前記重畳情報を前記情報表示装置に提供する情報提供手段と、を備え、
前記情報表示装置は、
撮像手段と、
特定の被写体を照合するための照合画像と、当該特定の被写体のスケールを示すスケール情報と、当該照合画像に対応する重畳情報と、を外部装置から取得する取得手段と、
前記取得手段により取得した照合画像に基づいて、前記撮像手段により撮像された撮像画像内に前記特定の被写体が写されているか否かを照合する照合手段と、
前記取得手段により取得した重畳情報を、前記照合手段により前記特定の被写体が照合された前記撮像画像上に重畳表示する重畳表示手段と、
前記取得手段により取得したスケール情報に基づく画角調整のガイド表示をおこなうガイド表示手段と、を備える、
ことを特徴とする情報表示システム。
【請求項２】
前記記憶手段は、特定の被写体を照合するための照合画像と、当該特定の被写体のスケールを示すスケール情報と、当該照合画像に対応する重畳情報と、を検索用のキー情報に対応づけて複数記憶し、
前記情報提供手段は、前記情報表示装置から送信された検索用のキー情報に基づいて、前記記憶手段を検索し、検索された前記照合画像、前記スケール情報、および前記重畳情報を前記情報表示装置に提供し、
前記取得手段は、当該情報表示装置の状態に応じたキー情報を前記情報提供装置に送信したことに応答して前記情報提供装置から送信されてくる前記照合画像、前記スケール情報、および前記重畳情報を取得する、
ことを特徴とする請求項１に記載の情報表示システム。
【請求項３】
撮像手段と、
特定の被写体を照合するための照合画像と、当該特定の被写体のスケールを示すスケール情報と、当該照合画像に対応する重畳情報と、を外部装置から取得する取得手段と、
前記取得手段により取得した照合画像に基づいて、前記撮像手段により撮像された撮像画像内に前記特定の被写体が写されているか否かを照合する照合手段と、
前記取得手段により取得した重畳情報を、前記照合手段により前記特定の被写体が照合された前記撮像画像上に重畳表示する重畳表示手段と、
前記取得手段により取得したスケール情報に基づく画角調整のガイド表示をおこなうガイド表示手段と、
を備えることを特徴とする情報表示装置。
【請求項４】
前記取得手段は、前記照合画像、前記スケール情報、および前記重畳情報との組を前記取得手段により複数取得し、
前記ガイド表示手段は、前記取得手段により取得した複数のスケール情報に基づいて、前記取得手段により取得した複数の照合画像により照合可能な複数の被写体の分布状態をガイド表示する、
ことを特徴とする請求項３に記載の情報表示装置。
【請求項５】
前記ガイド表示手段は、
前記取得手段が取得した前記スケール情報に基づいた、前記照合画像の分布を表示する分布表示手段をさらに備え、
前記分布表示手段が表示した前記分布表示と対応した前記ガイド表示をおこなう、
ことを特徴とする請求項３または４に記載の情報表示装置。
【請求項６】
前記ガイド表示手段は、前記撮像手段による前記撮像画像の画角変化に応じて、前記ガイド表示を変化させる、
ことを特徴とする請求項５に記載の情報表示装置。
【請求項７】
前記撮像画像における１画素が相当する実寸サイズを算出するスケール算出手段をさらに備え、
前記分布表示手段は、前記スケール情報が示している前記照合画像における１画素が相当する実寸サイズによる前記照合画像の分布を表示し、
前記ガイド表示手段は、前記スケール算出手段が算出した前記撮像画像における１画素が相当する実寸サイズに応じた前記ガイド表示をおこなう、
ことを特徴とする請求項５または６に記載の情報表示装置。
【請求項８】
前記撮像手段は、ステレオカメラであり、
前記スケール算出手段は、該ステレオカメラによって求められる被写体までの距離に基づいて、前記撮像画像における１画素が相当する実寸サイズの算出をおこなう、
ことを特徴とする請求項７に記載の情報表示装置。
【請求項９】
特定の被写体を照合するための照合画像と、当該特定の被写体のスケールを示すスケール情報と、当該照合画像に対応する重畳情報と、を外部装置から取得する取得工程と、
前記取得工程により取得した照合画像に基づいて、前記撮像工程により撮像された撮像画像内に前記特定の被写体が写されているか否かを照合する照合工程と、
前記取得工程により取得した重畳情報を、前記照合工程により前記特定の被写体が照合された前記撮像画像上に重畳表示する重畳表示工程と、
前記取得工程により取得したスケール情報に基づく画角調整のガイド表示をおこなうガイド表示工程と、
を含むことを特徴とする情報表示方法。
【請求項１０】
撮像手段を備えるコンピュータに、
特定の被写体を照合するための照合画像と、当該特定の被写体のスケールを示すスケール情報と、当該照合画像に対応する重畳情報と、を外部装置から取得する取得機能、
前記取得機能により取得した照合画像に基づいて、前記撮像機能により撮像された撮像画像内に前記特定の被写体が写されているか否かを照合する照合機能、
前記取得機能により取得した重畳情報を、前記照合機能により前記特定の被写体が照合された前記撮像画像上に重畳表示する重畳表示機能、
前記取得機能により取得したスケール情報に基づく画角調整のガイド表示をおこなうガイド表示機能、
を実現させるためのプログラム。